(57)【要約】【課題】  組み立ての際、規制バネを簡易に装着できる遊技盤固定装置を提供する。【解決手段】  固定装置Ａは、遊技機本体前面の所定箇所に取着されるベース部材１と、ベース部材１の一側に第一支軸２によって回動自在に軸着され、該第一支軸２を挟んだ一方側に遊技盤の側縁部を受け入れる嵌合凹部２４が設けられ、他方側に係止窪部２７が設けられた可動部材３と、ベース部材１の他側に第二支軸５によって回動自在に軸着され可動部材３の係止窪部２７に係脱自在に係合するロックピン７が設けられたロック部材６と、ロックピン７が可動部材３から離れるのを規制する帯板状の弾性部材により形成された規制バネ８とを備え、該規制バネ８は、基部４１と、該基部４１の一端をロックピン７側に折曲した弾性作用部４２と、該基部４１の他端を前記第二支軸５に係合するように折曲した係合部４３とから構成されている。【選択図】図４
2014124441.tif 000002
【特許請求の範囲】
【請求項１】
遊技機本体前面の所定箇所に取着されるベース部材と、
前記ベース部材の一側に第一支軸によって回動自在に軸着され、該第一支軸を挟んだ一方側に遊技盤の側縁部を受け入れる嵌合凹部が設けられ、他方側に係止窪部が設けられた可動部材と、
前記ベース部材の他側に第二支軸によって回動自在に軸着され前記可動部材の係止窪部に係脱自在に係合するロックピンが設けられたロック部材と、
前記ロックピンが前記可動部材から離れるのを規制する帯板状の弾性部材により形成された規制バネとを備えた遊技盤固定装置であって、
前記規制バネは、基部と、該基部の一端を前記ロックピン側に折曲した弾性作用部と、該基部の他端を前記第二支軸に係合するように折曲した係合部とからなることを特徴とする遊技盤固定装置。
【発明の詳細な説明】
【技術分野】
【０００１】
本発明は、遊技機本体前面に遊技盤を装着するために使用される遊技盤固定装置に関するものである。
【背景技術】
【０００２】
一般に、入賞装置や表示装置などが配置された遊技盤を遊技機本体前面に形成された遊技盤収納凹部にその前側から着脱自在に取り付けるため、遊技盤固定装置が用いられている。そして、一般的なパチンコ遊技機には、遊技盤収納凹部の左側の上下に挟着部材が設けられると共に、遊技盤収納凹部の右側の上下に遊技盤固定装置が設けられており、遊技盤の左側縁部を挟着部材に差し込み、続いて、この左側を中心に遊技盤を回動させながら遊技盤の右側縁部を遊技盤固定装置に嵌めて遊技盤を固定するようにしている。
【０００３】
そして、この種の遊技盤固定装置として、例えば、特許文献１に示されているようなものがあるが、この種の固定装置は、たいてい遊技盤を固定するにあたり、コイル状のバネ部材の付勢力を利用しており、こうしたバネは、そのコイル部分を固定装置の支軸に挿通して使用することが一般的である。
【先行技術文献】
【特許文献】
【０００４】
【特許文献１】特開２００９−２９７２９８号公報
【発明の概要】
【発明が解決しようとする課題】
【０００５】
しかしながら、特許文献１に記載された遊技盤固定装置のように、コイル状のバネ部材のコイル部分を固定装置の支軸に挿通して使用する場合、その組立作業がきわめて面倒で、生産効率が悪く、また、コスト的にも不利になるという問題が存在していた。すなわち、この種の遊技盤固定装置を組み立てるにあたり、まず、一方側の軸孔に支軸を挿通し、その挿通した支軸をコイル状のバネのコイル部分に通し、さらに他方側の軸孔に支軸を挿通するという作業が必要になるため、その作業はきわめて面倒である。しかも、これらの部品は小さいため、これを手作業で行うと、その作業は繁雑をきわめることになってしまう。
【０００６】
そこで、本発明は前記課題を解決すべくなされたもので、遊技盤固定装置を組み立てるにあたり、遊技盤を固定するための付勢手段となる規制バネを簡易に取り付けることを可能とした遊技盤固定装置を提供することを目的とする。
【課題を解決するための手段】
【０００７】
かかる目的を達成するため本発明に係る遊技盤固定装置は、遊技機本体前面の所定箇所に取着されるベース部材と、前記ベース部材の一側に第一支軸によって回動自在に軸着され、該第一支軸を挟んだ一方側に遊技盤の側縁部を受け入れる嵌合凹部が設けられ、他方側に係止窪部が設けられた可動部材と、前記ベース部材の他側に第二支軸によって回動自在に軸着され前記可動部材の係止窪部に係脱自在に係合するロックピンが設けられたロック部材と、前記ロックピンが前記可動部材から離れるのを規制する帯板状の弾性部材により形成された規制バネとを備えた遊技盤固定装置であって、前記規制バネは、基部と、該基部の一端を前記ロックピン側に折曲した弾性作用部と、該基部の他端を前記第二支軸に係合するように折曲した係合部とからなることを特徴としている。
【発明の効果】
【０００８】
本発明に係る遊技盤固定装置によれば、遊技盤固定装置を組み立てるにあたり、遊技盤を固定するための付勢手段となる規制バネを簡易に取り付けることが可能となり、ひいては、組立作業の効率を高めることができる。
【図面の簡単な説明】
【０００９】
【図１】遊技盤が装着された状態を示すパチンコ遊技機の正面図。
【図２】遊技盤固定装置の斜視図。
【図３】遊技盤固定装置の分解斜視図。
【図４】（イ）乃至（ハ）は遊技盤固定装置の動作説明図。
【発明を実施するための形態】
【００１０】
以下、本発明に係る遊技盤固定装置の実施の形態を図面に基き説明する。なお、遊技盤固定装置は、例えばパチンコ遊技機、雀球機、アレパチ機等の種々の遊技機に適用可能であるが、本実施の形態では、パチンコ遊技機を例として説明する。そこで、まず、本発明に係る遊技盤固定装置が適用されるパチンコ遊技機についてあらかじめ説明しておく。図１は遊技盤が装着された状態を示すパチンコ遊技機の正面図である。パチンコ遊技機Ｐは、遊技機本体１００と該遊技機本体１００の前面にその左側を軸着して開閉自在に装着される透明板保持枠１０１とから構成されている。
【００１１】
遊技機本体１００は、長方形状の機枠１０２と、その前面に左側を軸着して開閉自在に装着される本体枠１０３とからなる。本体枠１０３の前面上部に、後方へ窪んで遊技盤１０４をその前側から取り付けまたは取り外すことができる方形状の遊技盤収納凹部１０５が形成されている。また、本体枠１０３の下部前面に、右側に寄せて打球発射レール１０６及び該打球発射レール１０６に供給される遊技球を遊技盤１０４の遊技部１０４ａに打ち込むための打球発射装置１０７が配置される。更に、その左側には、零れ球やファール球を受け入れ後記する下球皿１０９に排出する遊技球集合通路樋１０８が配置される。本体枠１０３の下部前面には、下球皿１０９が装着されると共にその右側に前記打球発射レール１０６から発射される遊技球の打球力を調整するための打球力調整ハンドル１１０が装着されている。
【００１２】
遊技盤１０４の前面には内側ガイドレール１１１ａと外側ガイドレール１１１ｂが略渦巻き状に敷設され、内側・外側ガイドレール１１１Ａ１ｂに囲まれるようにして遊技部１０４ａが形成される。この遊技部１０４ａには、その中央部に盤面部品として図柄を変動表示する可変表示装置１１２が配設され、その下方に遊技球の入賞により該可変表示装置１１２が作動する始動入賞口１１３が配設される。また、その下方に前記図柄が特定の図柄（例えば、「７７７」）に揃って「大当り」という遊技者に有利な特別遊技状態となったとき、一定の条件の下で開成し一度に多くの入賞球を発生させる入賞装置１１４が配設されている。遊技部１０４ａの中央最下部には、アウト球を遊技盤１０４の後側へ排出するためのアウト球排出口１１５が開設されている。なお、図中１１６は通常入賞口、１１７は遊技球の流下方向を変更させ遊技の面白みを高めるための風車である。
【００１３】
前記透明板保持枠１０１は、遊技盤１０４の前面を覆うようにして前記本体枠１０３の上部前面に装着される。透明板保持枠１０１は前面に遊技盤１０４の遊技部１０４ａを覗く窓開口１１８が開設され、その後側に窓開口１１８を塞ぐようにして一対の透明板を平行に配設してなる透明板ユニット１１９が装着されている。また、透明板保持枠１０１の下部前面に、賞球としての遊技球を貯留し前記打球発射レール１０６に供給するための上球皿１２０が装着されている。そして、上球皿１２０から打球発射レール１０６に供給された遊技球はその発射位置に停止し、その状態で打球力調整ハンドル１１０を所望の位置まで回動することにより、打球発射装置１０７が作動して打球発射レール１０６の上面に停止する遊技球を打球する。これにより、該遊技球は内側・外側ガイドレール１１１Ａ１ｂ間を飛走して遊技盤１０４前面の遊技部１０４ａに打ち込まれる。
【００１４】
前記本体枠１０３の前面に形成された遊技盤収納凹部１０５は前後方向の深さが遊技盤１０４が嵌り込む程度の寸法を有し、底壁すなわち遊技盤取付面１０５ａの中央部は開放している。そして、遊技盤収納凹部１０５を前側から見て左側の上下縁部に、それぞれ遊技盤１０４の左側縁部を挟んで固定する挟着部材１２１，１２１が取着されている。各挟着部材１２１は、例えば弾性を有する金属帯板から成形され、遊技盤収納凹部１０５を前側から見て右側が解放する平面略コ字状に形成されている。
【００１５】
そして、遊技盤収納凹部１０５の正面視にて右側の上下縁部に、それぞれ遊技盤１０４の右側の上縁部と下縁部とをそれぞれ挟んで固定する遊技盤固定装置Ａ，Ａが取着されている。この場合は、各遊技盤固定装置Ａを縦向きにして遊技盤１０４の上下縁部を挟むように配置したが、横向きにして遊技盤１０４の右側縁部を挟むように配置しても良い。また、挟着部材１２１，１２１の位置及び遊技盤固定装置Ａ，Ａの位置をそれぞれ左右逆に配置しても良い。
【００１６】
図２は第１実施形態の遊技盤固定装置Ａの斜視図、図３はその分解斜視図である。実際にこの遊技盤固定装置Ａが遊技盤１０４に取り付けられる際は、図２及び図３における上側が正面〈前側〉、下側が遊技盤取付面１０５ａに取り付ける側（後側）となる。
【００１７】
遊技盤固定装置Ａは、遊技盤収納凹部１０５の遊技盤取付面１０５ａに取着されるベース部材１と、第一支軸２によってベース部材１に回動自在に軸着される可動部材３と、可動部材３の内側に配置される押圧バネ４と、第二支軸５によってベース部材１に回動自在に軸着されるロック部材６と、ベース部材１及びロック部材６の双方に挿通されるロックピン７と、ロック部材５の内側に配置される規制バネ８とによって概略構成されている。
【００１８】
前記ベース部材１は、遊技盤取付面１０５ａに取付けられるベース板１１と、ベース板１１の中央両側縁から直角に起立する平行な一対のベース側板１２，１２とからなり、ベース板１１は、その周囲四隅部に螺子１３を挿通するための螺子挿通孔１４を設けた取付片１５によって平面視略Ｈ字状に形成されている。そして、ベース板１１のベース側板１２，１２間より一方に外れた位置（図２及び図３では左側）にベース側板１２，１２と同じ方向に屈曲させた切り起し片１６が設けられている。また、ベース側板１２，１２には、第一支軸２が挿通される第一軸孔１７，１７と、第二支軸５が挿通される第二軸孔１８，１８と、ロックピン７が挿通される弧状溝１９，１９が開設されている。第一軸孔１７，１７は、ベース側板１２，１２の切り起し片１６が形成された側のほぼ中央部に位置し、第二軸孔１８，１８は、ベース側板１２，１２の切り起し片１６が形成されていない側の上部に位置し、弧状溝１９，１９は、ベース側板１２，１２の第一軸孔１７，１７と第二軸孔１８，１８の間の下方に位置して第二軸孔１８，１８を中心とする円弧状に形成されている。また、ベース側板１２，１２のロック部材６側の縁部の略中央に互いに向き合うように内側へ屈曲させた規制バネ支持部２０が設けられている。
【００１９】
前記可動部材３は、ベース部材１０のベース側板１２，１２間に介在する側面視略コ字状に形成された一対の可動側板２１，２１と、該可動側板２１，２１の前側（図２及び３では上側）先端間を互いに連結した連結部２２，２２とからなっている。可動側板２１，２１は、第一支軸２を挿通する軸孔２３，２３が開設された一対の中央側板部２１ａ，２１ａと、該中央側板部２１ａ，２１ａの両側からそれぞれ同じ方向へ平行に延びる前側側板部２１ｂ，２１ｂと後側側板部２１ｃ，２１ｃとからなり、後側側板部２１ｃの長さ寸法は前側側板部２１ｂよりも短く設定されている。そして、中央側板部２１ａ，２１ａ、前側側板部２１ｂ，２１ｂ、及び後側側板部２１ｃ，２１ｃとで略コ字状に囲まれた嵌合凹部２４には、遊技盤１０４の側縁部が受け入れられることになる。なお、前側側板部２１ｂと後側側板部２１ｃの間の寸法は、遊技盤１０４の誤差を含めた厚さ寸法より広く設定されている。さらに、連結部２２の上端縁には可動部材３を指先で操作するための摘み片２５が屈曲して設けられている。また、連結部２２の下端から前側側板部２１ｂ，２１ｂの側縁間にかけて、嵌合凹部２４に沿うように屈曲した嵌合凹部２４の内面となる遊技盤押え部２６が張設されている。さらに、中央側板部２１ａ，２１ａの嵌合凹部２４とは反対側であって軸孔２３よりやや下方にロックピン７が係止される係止窪部２７，２７が形成されている。なお、図２及び図３において、ベース側板１２の前側側板部２１ｂは上側に位置し、後側側板２１ｃは下側に位置するにもかかわらず、前側、後側としたのは、実際に遊技盤固定装置Ａを遊技盤収納凹部１０５の遊技盤取付面１０５ａに取着すると、前側側板部２１ｂが前側に位置し、後側側板２１ｃが後側に位置することになるからである。
【００２０】
前記可動部材３の可動側板２１，２１の間、具体的には可動側板２１，２１の間からベース部材１のベース板１１上にかけて押圧バネ４が配置されている。この押圧バネ４は、薄い弾力性のある帯板の２箇所を湾曲状に折曲して側面略Ｊ字状に形成されており、その先端部は、可動部材３に受け入れられ固定された遊技盤１０４を前方に付勢するための押圧部２８となっている。また、押圧バネ４の両側縁には、直角に屈曲形成された取付片２９，２９が設けられていて、該取付片２９，２９には第一支軸２を挿通する挿通孔３０，３０が開設されている。なお、３１は、ベース部材１のベース板１１に設けられた切り起し片１６が遊挿される掛止孔である。
【００２１】
前記ロック部材６は、基板３３と、該基板３３の両側縁から直角に屈曲し平行をなす一対の側板３４，３４とからなっている。側板３４，３４は、側面略Ｌ字状に形成されていて、該側板３４，３４がベース部材１のベース側板１２，１２を跨ぐように配置される。また、側板３４，３４の上部には、ベース側板１２，１２の第二軸孔１８，１８と合致し第二支軸５が挿通される軸孔３５，３５が開設されている。また、側板３４，３４のＬ字状に屈曲した部位の先端部には、ベース側板１２，１２の弧状溝１９，１９に合致する支持孔３６，３６が開設されていて、該支持孔３６，３６に弧状溝１９，１９に遊挿されるロックピン７が挿通されている。なお、基板３３の上端部には、ロック部材５を指先で操作するための摘み片３７が設けられている。
【００２２】
前記ベース部材１のベース側板１２，１２の間であって前記ロック部材６側、具体的には、ベース部材１のベース側板１２，１２の間であって、ロックピン７とベース部材１の規制バネ支持部２０の間に収まるように規制バネ８が配置されている。この規制バネ８は、薄い弾力性のある帯板によって形成されており、ロック部材６の基板３３に沿うように位置する平板矩形状の基部４１と、該基部４１の一端側に形成された弾性作用部４２と、該基部４１の他端側に形成されている係合部４３とによって構成されている。すなわち、基部４１のロックピン７側を湾曲状に屈曲させて弾性作用部４２を形成し、該弾性作用部４２をロックピン７に当接させ、ロックピン７の動きを規制している。また、基部４１の第二支軸５側を円筒状に湾曲させて係合部４３を形成し、該係合部４３を第二支軸５に係合させている。
【００２３】
次に、上記のように構成された遊技盤固定装置Ａの組み立て方法について説明する。まず、ベース部材１のベース側板１２，１２間に可動部材３の可動側板２１，２１を配置する。次いで可動側板２１，２１間に押圧バネ４を配置し、押圧バネ４の掛止孔３１にベース部材１の切り起し片１６を嵌める。そして、ベース部材１の第一軸孔１７，１７、可動部材３の軸孔２３，２３、及び押圧バネ４の挿通孔３０，３０に第一支軸２を挿通し、可動部材３をベース部材１に回動自在に軸着する。この時、可動部材３は、その摘み片２５を押し下げた状態にしておく。次に、ベース部材１のベース側板１２，１２を跨ぐようにロック部材６の側板３４，３４を配置し、側板３４，３４の支持孔３６，３６とベース部材１の弧状溝１９，１９にロックピン７を挿通する。そして、ベース部材１のベース側板１２，１２間に規制バネ８を挿入する。この時、規制バネ８は、その基部４１がベース部材１の規制バネ支持部２０に当接すると共に、その弾性作用部４２がロックピン７に対向し且つ接触するように配置する。そして、ロック部材６の側板３４，３４の軸孔３５，３５とベース部材１のベース側板１２，１２の第二軸孔１８，１８に第二支軸５を挿通する。この時、第二支軸５を第二軸孔１８，１８とロック部材６の軸孔３５，３５に挿通するのみで、同時に第二支軸５が規制バネ８の円筒状の係合部４３を潜り係合部４３に係合する。最後に、第一支軸２、第二支軸５、ロックピン７の端部にＣリングを装着して完成する。このように、本願発明の遊技盤固定装置Ａは、組み立てにおいて規制バネ８を予め支軸に挿通するなどの面倒な作業を一切必要とせず、単にベース部材１のベース側板１２，１２間であり、且つロックピン７と規制バネ支持部２０の間に配置するのみで足りるため、組み立て作業を迅速且つ簡易に行うことができる。
【００２４】
このようにして組み立てた２つの遊技盤固定装置Ａ，Ａをパチンコ遊技機Ｐの遊技盤取付面１０５ａの右側上下に、それぞれの嵌合凹部２４，２４が対向するようにして配置する。そして、ベース部材１のベース板１１を遊技盤取付面１０５ａに密着させて螺子１３によって遊技盤取付凹部１０５へ取付ける。
【００２５】
次に、パチンコ遊技機Ｐの遊技盤収納凹部１０５に遊技盤１０４を装着する方法を説明する。図４（イ）乃至（ハ）は遊技盤固定装置Ａの動作説明図である。まず、遊技盤取付面１０５ａに取付けられた各遊技盤固定装置Ａ，Ａの可動部材３を遊技盤１０４が受け入れられる傾動位置に保持させる。具体的には、ロック部材６の摘み片３７を規制バネ８の付勢に抗して後方へ押して回動させる。このとき、図４（イ）に示すようにロックピン７は、可動部材３の可動側板２１，２１に設けられた係止窪部２７，２７に係合しておらず、可動側板２１，２１の中央側板部２１ａに規制バネ８の付勢により当接し、可動部材３を傾動位置で停止保持している。
【００２６】
この状態で、遊技盤１０４の後面が遊技盤取付面１０５ａに対向するようにし、遊技盤１０４を遊技盤収納凹部１０５の下縁段部１０５ｂの上面に載せ、遊技盤１０４の左側縁部を遊技盤収納凹部１０５の左側に取着された挟着部材１２１，１２１内に押し込む。そして、遊技盤１０４の左側縁部を中心として遊技盤を回動させながら、遊技盤１０４の右側縁部を遊技盤固定装置Ａの可動部材３の後側側板部２１ｃ，２１ｃに軽く当接させる。
【００２７】
次に、可動部材３の摘み片２５を回動させながら、可動部材３の遊技盤押さえ部２６によって遊技盤１０４の前面を後方へ押す。この時、図４（ロ）に示すようにロックピン７，７が規制バネ８の付勢に抗してベース部材１の弧状溝１９，１９を若干移動する。そして、遊技盤１０４をさらに後方へ押すと、図４（ハ）に示すようにロックピン７，７が可動部材３の係止窪部２７，２７に嵌り、遊技盤１０４が遊技盤収納凹部１０５内に収納される。このとき、可動部材３の係止窪部２７，２７にロック部材６のロックピン７が係止した状態となり、可動部材３は遊技盤１０４が固定される固定位置に停止保持されている。また、規制バネ８によりロック部材６が可動部材３側へ付勢されているので、ロックピン７が係止窪部２７，２７から外れるようなことはない。
【００２８】
次に、パチンコ遊技機Ｐから遊技盤１０４を前側へ取り外す場合について説明する。図４（ハ）の状態において、遊技盤１０４の各遊技盤固定装置Ａにおけるロック部材６の摘み片３２を規制バネ８の付勢に抗して後方へ回動させ、ロックピン７と可動部材３の係止窪部２７，２７との係合を外す。これにより、可動部材３が自在に回動できるようになり、この状態で可動部材３を摘み片２５によって前方へ回動させる（図４（ロ））。この可動部材３を傾動位置に回動させる動作に伴い、遊技盤１０４の右側縁の後面が可動部材３の後側側板部２１ｃの先端部によって前方へ押し出される。この際、遊技盤１０４の後面は押圧バネ４によっても前方へ付勢されているので、遊技盤１０４が出易い。このようにして遊技盤１０４の右側縁部は前方へ取り外される。
【符号の説明】
【００２９】
Ａ                    遊技盤固定装置
１                    ベース部材
２                    第一支軸
３                    可動部材
５                    第二支軸
６                    ロック部材
７                    ロックピン
８                    規制バネ
２４                  嵌合凹部
２７                  係止窪部
４１                  基部
４２                  弾性作用部
４３                  係合部
１００                遊技機本体
【図１】
2014124441.tif 000003
【図２】
2014124441.tif 000004
【図３】
2014124441.tif 000005
【図４】
2014124441.tif 000006